(57)【要約】【課題】  イメージリピート処理時に、出力サイズを指定して印刷するのが難しいという課題があった。【解決手段】  本発明では、スキャン画像に対して画像解析処理を実行することにより原稿画像を検出し、当該検出した原稿領域に基づいて原稿画像の抽出と傾き補正とを実行することにより傾き補正後の原稿画像を得る。リピート対象領域の画像を印刷出力する際の出力サイズをユーザに指定させ、前記傾き補正後の原稿画像と、前記指定された出力サイズとに基づいて、リピート対象領域を設定する。そして、当該設定されたリピート対象領域内の画像を前記出力サイズとなるように変倍して、指定された用紙サイズ内に繰り返しレイアウトすることにより、リピートレイアウト処理後の出力画像を作成し、印刷処理を実行する。【選択図】  図３
2019201356.tif 000002
【特許請求の範囲】
【請求項１】
スキャン画像に対して画像解析処理を実行することにより原稿画像を検出し、当該検出した原稿領域に基づいて原稿画像の抽出と傾き補正とを実行することにより傾き補正後の原稿画像を得る抽出手段と、
ユーザの指示に基づいて、リピート対象領域の画像を印刷出力する際の出力サイズを指定するサイズ指定手段と、
前記抽出手段で得られた前記傾き補正後の原稿画像と、前記サイズ指定手段で指定された出力サイズとに基づいて、リピート対象領域を設定する設定手段と、
前記設定手段により設定されたリピート対象領域内の画像を前記出力サイズとなるように変倍して、指定された用紙サイズ内に繰り返しレイアウトすることにより、リピートレイアウト処理後の出力画像を作成するリピートレイアウト手段と、
前記リピートレイアウト処理後の出力画像を用いて印刷処理を実行する印刷手段と、
を備えることを特徴とする画像処理装置。
【請求項２】
前記設定手段は、前記傾き補正後の原稿画像と、前記リピート対象領域を示す枠とを表示し、かつ、ユーザの指示に基づいて当該リピート対象領域を示す枠の位置を変更するための領域指定画面を表示する、ことを特徴とする請求項１に記載の画像処理装置。
【請求項３】
前記領域指定画面において、ユーザの指示に基づいて当該リピート対象領域を示す枠の位置を変更する際、当該枠のアスペクト比を前記サイズ指定手段で指定された出力サイズのアスペクト比となるようにする、ことを特徴とする請求項２に記載の画像処理装置。
【請求項４】
前記サイズ指定手段は、あらかじめ出力サイズが登録されたボタンを表示し、当該表示したボタンがユーザにより選択された場合は、当該選択されたボタンに対して登録されている出力サイズを用いる、ことを特徴とする請求項１に記載の画像処理装置。
【請求項５】
コンピュータを、請求項１乃至４のいずれか１項に記載の画像処理装置の各手段として機能させるためのプログラム。
【請求項６】
請求項５に記載のプログラムを格納した、コンピュータ読み取り可能な記憶媒体。
【請求項７】
スキャン画像に対して画像解析処理を実行することにより原稿画像を検出し、当該検出した原稿領域に基づいて原稿画像の抽出と傾き補正とを実行することにより傾き補正後の原稿画像を得る抽出ステップと、
ユーザの指示に基づいて、リピート対象領域の画像を印刷出力する際の出力サイズを指定するサイズ指定ステップと
前記抽出ステップで得られた前記傾き補正後の原稿画像と、前記サイズ指定手段で指定された出力サイズとに基づいて、リピート対象領域を設定する設定手段と、
前記設定手段により設定されたリピート対象領域内の画像を前記出力サイズとなるように変倍して、指定された用紙サイズ内に繰り返しレイアウトすることにより、リピートレイアウト処理後の出力画像を作成するリピートレイアウトステップと、
前記リピートレイアウト処理後の出力画像を用いて印刷処理を実行する印刷ステップと、
を有することを特徴とする画像処理方法。
【発明の詳細な説明】
【技術分野】
【０００１】
本発明は、スキャン画像内に含まれる原稿画像の一部をリピート対象画像とし、該リピート対象画像を１枚の記録紙内に繰り返し配置するイメージリピート処理に関するものである。
【背景技術】
【０００２】
複写機や複合機等の画像形成装置には、イメージリピート印刷の機能を備えるものがある。このイメージリピート印刷は、スキャナで読取った一枚の原稿の画像（原稿画像）の一部の領域を指定してリピート対象画像とし、当該リピート対象画像を繰り返し配置して一枚の記録紙上に印刷する機能である。特許文献１には、繰り返し配置したときに隣接するリピート対象画像間に余白を付加するかどうかをユーザが選択可能にすることや、縦方向のリピート回数と横方向のリピート回数をユーザが設定可能にすることなどが開示されている。
【０００３】
特許文献２には、ユーザが繰返し回数を設定すると、予め指定された用紙サイズ内に、当該設定された繰返し回数分の繰返し画像が収まるように、繰返し画像の倍率を自動変更してから該用紙サイズ内に配置することが記載されている。
【先行技術文献】
【特許文献】
【０００４】
【特許文献１】特開２００４−２４８２６２号公報
【特許文献２】特開平０７−２６１５９９号公報
【発明の概要】
【発明が解決しようとする課題】
【０００５】
一方で、リピート対象画像を等倍サイズでリピート印刷するのではなく、ユーザが必要とする出力サイズとなるようにリピート対象画像を拡大または縮小した状態でリピート印刷された印刷物を得たい、というユーザの要望がある。しかしながら、特許文献２の技術では、ユーザが指定した繰返し回数に基づいて繰り返し画像の倍率が自動変更されるので、ユーザが必要とする印刷出力サイズを正確に指定することはできない。
【０００６】
また、複写機には、コピー時の倍率として例えば２５％〜４００％の何れかの数値をユーザが直接指定する機能もあるが、ユーザにとっては、所望する印刷出力サイズの印刷物を得るために倍率の値をいずれにすればよいのか分かりにくかった。特に、スキャン画像を画面に表示し、当該画面上に表示されたスキャン画像内の一部の領域をリピート対象画像の領域としてユーザが手動で指定する場合、スキャン対象の原稿が変わるので、当該指定されるリピート対象画像の領域のサイズはイメージリピート印刷を行うたびに異なるサイズとなりうる。このような異なるサイズのリピート対象画像を、ユーザが必要とする一定の出力サイズとなるようにしてリピート印刷したい場合、倍率の数値を指定する方法では、その都度、ユーザが適切な数値の倍率を計算して指定し直す必要が生じてしまう。しかしながら、ユーザにとっては、倍率の数値をどのような値にすれば、ユーザの必要としている出力サイズで印刷されるのか、分かりにくく使い勝手が悪いという課題があった。
【課題を解決するための手段】
【０００７】
上記課題を解決するために、本発明の画像処理装置は、スキャン画像に対して画像解析処理を実行することにより原稿画像を検出し、当該検出した原稿領域に基づいて原稿画像の抽出と傾き補正とを実行することにより傾き補正後の原稿画像を得る抽出手段と、リピート対象領域の画像を印刷出力する際の出力サイズを指定するサイズ指定手段と、前記抽出手段で得られた前記傾き補正後の原稿画像と、前記サイズ指定手段で指定された出力サイズとに基づいて、リピート対象領域を設定する設定手段と、前記設定手段により設定されたリピート対象領域内の画像を前記出力サイズとなるように変倍して、指定された用紙サイズ内に繰り返しレイアウトすることにより、リピートレイアウト処理後の出力画像を作成するリピートレイアウト手段と、前記リピートレイアウト処理後の出力画像を用いて印刷処理を実行する印刷手段と、を備えることを特徴とする。
【発明の効果】
【０００８】
本発明によれば、イメージリピート処理時に、ユーザがリピート対象画像の出力サイズを容易に指定することができる。
【図面の簡単な説明】
【０００９】
【図１】システムの全体構成例である。
【図２】画像形成装置のハードウェア構成例を示す図である。
【図３】実施例１におけるイメージリピート処理に関するフローチャートを示す図である。
【図４】スキャン対象の原稿の例を示す図である。
【図５】原稿台に置かれた原稿を読み取った結果として得られた原稿台サイズと同じサイズの画像の例である。
【図６】リピート対象画像の印刷出力サイズを指定するための画面の例を示す図である。
【図７】イメージリピートのレイアウト処理を実行することにより得られる画像をプレビューするプレビュー画面の例を示す図である。
【図８】実施例２におけるイメージリピート処理に関するフローチャートを示す図である。
【図９】リピート対象領域指定画面のデフォルト表示の例を示す図である。
【図１０】リピート対象領域指定画面においてリピート対象領域を示す枠の位置を修正した場合の例を示す図である。
【図１１】リピート対象領域を示す枠の位置を修正した後に、イメージリピートのレイアウト処理を実行することにより得られる画像をプレビューするプレビュー画面の例を示す図である。
【図１２】実施例３におけるイメージリピート処理に関するフローチャートを示す図である。
【発明を実施するための形態】
【００１０】
以下、図面を用いて本発明に係る実施形態を詳細に説明する。ただし、この実施形態に記載されている構成要素はあくまで例示であり、この発明の範囲をそれらに限定する趣旨のものではない。
【実施例１】
【００１１】
＜システム構成＞
図１は本実施例を適用可能なシステムの全体構成を示す図である。図１に示すように、画像形成装置（画像処理装置）１００はＬＡＮ１０２に接続され、Ｉｎｔｅｒｎｅｔ１０３等を介してＰＣなどの端末１０１等と通信可能になっている。なお、本実施例の実現にあたっては、ＰＣなどの端末１０１に関しては、必ずしも必要なくても良く、画像形成装置１００のみの構成だけでも良い。
【００１２】
画像形成装置（画像処理装置）１００は、表示・操作部、スキャナ部及び、プリンタ部を有する複合機（ＭＦＰ）であり、スキャナ部を用いて原稿（文書、名刺、証明書用写真、免許証、葉書など）をスキャンするスキャン端末として利用することが可能である。タッチパネルやハードボタンなどの表示・操作部では、スキャン画像やレイアウト処理結果のプレビュー画像を表示したり、ユーザからの指示を入力するためのユーザインタフェースの表示を行う。本実施例では、スキャン画像内から自動抽出または手動指定された領域内の画像を処理対象として、１枚の出力原稿内に繰り返しレイアウトするリピートレイアウト処理（イメージリピート処理とも言う）を実行し、レイアウト処理結果のプレビュー画像を画面に表示する。そして、ユーザがプレビュー画面において印刷開始ボタンを押下すると、プリンタ部を用いて印刷処理を実行する。
【００１３】
なお、本実施例では、画像形成装置１００単体で、スキャン処理、リピートレイアウト処理、印刷処理を行う例について説明するが、その一部を他の端末１０１で行うように構成したシステムであっても構わない。例えば、スキャン処理とリピートレイアウト処理とを画像形成装置１００で実行し、レイアウト処理結果の画像を他の端末１０１にネットワークを介して送信し、他の端末１０１からその画像を印刷するようにしてもよい。
【００１４】
＜画像形成装置１００のハードウェア構成＞
図２は、画像形成装置１００の構成を示すブロック図である。制御部１１０では、ＣＰＵ１１１、記憶装置１１２（ＲＯＭ１１７，ＲＡＭ１１８，ＨＤＤ１１９など）、ネットワークＩ／Ｆ部１１３、スキャナＩ／Ｆ部１１４、表示・操作部Ｉ／Ｆ部１１５、プリンタＩ／Ｆ部１２２がシステムバス１１６を介して互いに通信可能に接続されている。制御部１１０は、画像形成装置１００全体の動作を制御する。
【００１５】
ＣＰＵ１１１は、記憶装置１１２に記憶された制御プログラムを読み出し実行することにより、後述のフローチャートにおける各処理（読取制御や表示制御や印刷制御など）を実行する手段として機能する。記憶装置１１２は、上記プログラム、画像データ、メタデータ、設定データ及び、処理結果データなどを格納し保持する。記憶装置１１２には、不揮発性メモリであるＲＯＭ１１７、揮発性メモリであるＲＡＭ１１８及び、大容量記憶領域であるＨＤＤ１１９などがある。ＲＯＭ１１７は、制御プログラムなどを保持する不揮発性メモリであり、ＣＰＵ１１１はその制御プログラムを読み出し制御を行う。ＲＡＭ１１８は、ＣＰＵ１１１の主メモリ、ワークエリア等の一時記憶領域として用いられる揮発性メモリである。
【００１６】
ネットワークＩ／Ｆ部１１３は、制御部１１０（画像形成装置１００）を、システムバス１１６を介してＬＡＮ１０４に接続する。ネットワークＩ／Ｆ部１１３は、ＬＡＮ１０４上の外部装置に画像データを送信したり、ＬＡＮ１０４上の外部装置から各種情報を受信したりする。
【００１７】
スキャナＩ／Ｆ部１１４は、スキャナ部１２０と制御部１１０とを、システムバス１１６を介して接続する。スキャナ部１２０は、原稿上の画像を読み取ってスキャン画像データを生成し、スキャナＩ／Ｆ部１１４を介してスキャン画像データを制御部１１０に入力する。
【００１８】
表示・操作部Ｉ／Ｆ部１１５は、表示・操作部１２１と制御部１１０とを、システムバス１１６を介して接続する。表示・操作部１２１には、タッチパネル機能を有する液晶表示部やキーボードなどが備えられている。
【００１９】
プリンタＩ／Ｆ部１２２は、プリンタ部１２３と制御部１１０とを、システムバス１１６を介して接続する。プリンタ部１２３は、ＣＰＵ１１１で生成されたレイアウト処理後の画像データをプリンタＩ／Ｆ部１２２を介して受信し、当該受信した画像データを用いて記録紙へのプリント処理が行われる。
【００２０】
以上のように、本実施例に係る画像形成装置１００では、上記のハードウェア構成によって、画像処理機能を提供することが可能である。
【００２１】
＜イメージリピート処理機能＞
本実施例に係る画像処理機能として、イメージリピート処理（リピートレイアウト処理）について説明する。
【００２２】
画像形成装置１００は、スキャナ部１２０の原稿台に置かれた原稿をスキャンしてスキャン画像を取得する。取得したスキャン画像に対して画像解析処理を実行することにより、原稿領域の検出と、当該原稿領域の抽出と傾き補正とを行うことにより、傾き補正された原稿画像を得る。なお、原稿領域の検出処理の詳細については、後述する。さらに、画像形成装置１００は、リピート対象画像を印刷出力する際の出力サイズをユーザに指定させ、前記傾き補正された原稿画像と当該ユーザに指定させた出力サイズとに基づいて、該原稿画像内のリピート対象領域を特定する。そして、当該特定されたリピート対象領域のサイズと前記ユーザに指定された出力サイズとに基づいてリピート対象画像の変倍率を計算し、当該計算された変倍率に基づいて、前記リピート対象画像が前記指定された出力サイズで印刷されるように変倍処理を行う。そして、指定された用紙サイズに対応する出力用画像内に、当該変倍処理されたリピート対象領域の画像を繰り返し配置する際のレイアウトを決定する。そして、当該決定したレイアウトにしたがって、当該変倍処理されたリピート対象画像を配置してイメージリピート処理結果画像を生成し、表示・操作部のＵＩにプレビュー画像を表示する。このとき、ユーザは、前記特定されたリピート対象領域がユーザの所望する位置から外れていた場合は、ユーザの指示に基づいて、当該リピート対象領域の位置やサイズを修正することができる。リピート対象領域の修正が行われた場合は、当該修正後のリピート対象領域の位置に基づいてリピート対象画像を抽出し、さらに、当該修正後のリピート対象領域の大きさと前記ユーザに指定された印刷出力時の出力サイズとに基づいて当該修正後のリピート対象画像の変倍率を計算し、レイアウトし直す。また、表示・操作部を通じてユーザから、当該イメージリピート処理結果画像の印刷指示を受付け可能にしている。
【００２３】
図３は、本実施例１に係るイメージリピート処理の詳細を示すフローチャートである。なお、画像形成装置１００のＣＰＵ１１１が、ＲＯＭ１１７に格納されている処理プログラムをＲＡＭ１１８にロードして実行することにより、図３の各ステップの処理を実行する処理部として機能する。なお、本実施例では、スキャン対象の原稿として、図４のような名刺をスキャンした場合について説明するが、原稿の種類は名刺に限るものではなく、定形サイズや非定型サイズの文書、免許証、証明書用写真、各種カード、はがきなどであってもよい。
【００２４】
まず、画像形成装置１００の操作画面において、イメージリピート処理のモードがユーザにより指定されると、図６のタッチパネルディスプレイ領域６０１に操作画面が表示される。図６において、表示・操作部１２１は、タッチパネルディスプレイ領域６０１と、ハードキー６０２（数字キーや各種処理のスタートキーなど）とを備える。タッチパネルディスプレイ領域６０１には、原稿を原稿台にセットしてスキャンを開始するように促すメッセージと、スキャン開始を指示するためのスキャン開始ボタン（ソフトウェアキー）６０３とが表示される。また、出力サイズをユーザに指定させるためのボタン６０４〜６１０と、出力サイズを任意に編集するためのボタン６１１とが表示される。図６の手動指定ボタン６０４は、リピート対象画像を印刷する時の出力サイズ（横（Ｘ）のサイズと縦（Ｙ）のサイズ）をユーザが任意の値で指定できるようにするボタンである。図６の例では、手動指定ボタン６０４が押下され、出力サイズとして、横４５ｍｍ、縦３０ｍｍのサイズが指定された状態を示している。なお、図６に示すボタン６０５〜６１０は、出力サイズとしてよく使用されるサイズを登録可能なボタンであり、ユーザはそのボタン６０５〜６１０のいずれかを押下するだけで対応する出力サイズを簡単に指定可能になる。例えば、「ＩＤカード８６ｍｍ×５４ｍｍボタン」６０５は、リピート対象画像が印刷されるときの出力サイズとして、横８６ｍｍ、縦５４ｍｍの出力サイズ（ＩＤカードでよく使用されるサイズ）を指定するためのボタンである。また、「パスポート用写真３５ｍｍ×４５ｍｍボタン」６０６は、横３５ｍｍ、縦４５ｍｍの出力サイズ（パスポート写真でよく使用されるサイズ）を指定するためのボタンである。「名刺９１ｍｍ×５５ｍｍボタン」６０７は、横９１ｍｍ、縦５５ｍｍの出力サイズ（名刺でよく使用されるサイズ）を指定するためのボタンである。また、ボタン６０８〜６１０は、出力サイズが現在登録されていない未登録状態となっている。編集６１１ボタンを押下すると、ソフトウェアキーボードが表示され、ユーザにより編集指示されたボタン６０５〜６１０のいずれかについて、当該ボタンに設定すべき名称および出力サイズを編集入力可能となる。なお、ボタン名称に設定できる文字の長さや、出力サイズ（リピート対象画像の印刷時の横と縦のサイズ）は、値の範囲制限を設けて、それ以外の値が指示された場合はエラーとするようにしてもよい。また、登録済のボタン名称や切り出し画像を印字したときのサイズの変更も編集ボタン６１１を用いることによって可能である。
【００２５】
なお、イメージリピート処理のモードがユーザにより指定されて図６の画面が表示されると、出力サイズを指定するためのボタン６０４〜６１０のいずれかが選択状態となっているものとする。本実施例では、手動指定ボタン６０４が初期の選択状態となり、かつ、前回設定された出力サイズ（もしくはデフォルトのサイズ）が指定された状態となっているものとするが、これに限るものではない。例えば、前回の出力サイズ指示時に、ボタン６０５〜６１０のいずれかが選択されていた場合は、そのボタンを選択状態にして表示するようにしてもよい。
【００２６】
スキャン開始ボタン６０３がユーザにより選択されると、ステップＳ３０１において、画像形成装置のＣＰＵ１１１は、スキャナ部を動作させて画像を取得する処理を行う。なお、図４のような名刺や非定型サイズの文書などを原稿台に置いてスキャンを行った場合、原稿サイズ検知用センサーによる原稿サイズの自動検知ができない場合がある。そこで、本実施例のイメージリピート処理では、原稿台全体を読み取り対象として、原稿台と同じサイズのスキャン画像を取得するものとする。図４の４００は名刺（原稿）の例であり、名刺内には、写真等が記載されている領域４０１と、名前や住所等の文字列が記載されている領域４０２とが含まれる。この名刺を原稿台に置いてスキャンを行った結果として、図５に示すようなスキャン画像５０１が得られたものとする。このとき、名刺が原稿台に無造作に置かれると、名刺が原稿台に対して傾いた状態でスキャンされてしまうので、スキャン画像５０１内には、傾いた状態の名刺画像５０２が含まれることになる。
【００２７】
ステップＳ３０２において、ＣＰＵ１１１は、ステップＳ３０１で取得した画像に対して画像解析処理（原稿領域検出処理）を実行することにより原稿領域を検出し、当該検出した原稿領域の部分画像を切り出すとともに、傾き補正処理を行う。これにより、Ｓ３０１で取得したスキャン画像５０１に含まれている名刺画像５０２の領域を切り出して傾き補正した画像を取得することができる。原稿領域の検出処理と傾き補正処理は、公知の方法を用いて実現することができる。スキャン画像から原稿領域を検出する手法としては、例えば、スキャン画像に対してＳｏｂｅｌフィルタ等を適用することによりエッジ強度画像を求め、エッジ強度が高い画素が直線状に繋がっている個所を原稿の辺として検出する公知の手法を用いればよい。そして、当該検出した原稿の四辺に基づき４頂点を特定し、当該特定した４頂点に基づいて原稿領域の画像を切り出す（すなわち、スキャン画像から原稿画像を抽出する）。このとき、スキャン画像から切り出した原稿領域の画像が傾いている場合には、さらに、傾き補正を行うことで、傾き補正後の原稿画像として取得する。傾き補正は、例えば、当該特定した４頂点の座標値に基づき傾き角度の推定を行い、その傾き角度を補正する方向に画像を回転させればよい。なお、原稿領域の画像の切り出し処理（原稿画像の抽出処理）と傾き補正処理は、順番に実行するようにしてもよいし、切り出しと傾き補正を同時に行うようにしてもよい。例えば、４頂点の座標値に基づき、当該４頂点により囲まれる長方形領域の内部の画素に対して所定の射影変換処理を行うことで、長方形領域内の画素抽出と傾き補正とを同時に実現することも可能である。
【００２８】
ステップＳ３０３において、ＣＰＵ１１１はステップＳ３０２の原稿領域検出処理の結果に基づき原稿が検出されたかの判定を行う。原稿が検出されなかったと判断した場合には、ステップＳ３０４に進み、原稿が検出できなかった旨と、原稿を原稿台に置き直して再実行することをユーザに促すメッセージとを、表示・操作部１２１に表示させる。ステップＳ３０３で原稿が検出されたと判断した場合には、ステップＳ３０５に進む。
【００２９】
ステップＳ３０５において、ＣＰＵ１１１は、図６の画面において指定された出力サイズの情報を取得する。なお、出力サイズが未登録のボタン６０８〜６１０が選択された場合は、ステップＳ３０２で検出・傾き補正された原稿領域の画像サイズをそのまま出力サイズとして利用するようにしても構わない。なお、出力サイズが未登録のボタンが選択された場合の動作は、上記に限るものではなく、例えば、未登録の旨を画面に表示して、出力サイズを指定させるようにしてもよい。
【００３０】
ステップＳ３０６において、ＣＰＵ１１１は、指定された出力用紙の用紙サイズの情報を取得する。ユーザにより用紙サイズが未指定である場合は、デフォルト設定されている用紙サイズ（例えばＡ４サイズ）の情報を取得する。また、手差しトレイの用紙を使用することが予め指定されている場合などは、この時点でユーザに用紙サイズの指定を行わせるようにしてもよい。
【００３１】
ステップＳ３０７において、ＣＰＵ１１１は、ステップＳ３０２で得られた傾き補正後の原稿画像とステップＳ３０５で得られた出力サイズの情報とに基づいて、初期のリピート対象領域を特定し、さらに、当該リピート対象領域内の画像を印刷する時にステップＳ３０５で指定された出力サイズになるように変倍率を計算して、該リピート対象領域内の画像（リピート対象画像）の変倍処理を行う。なお、初期のリピート対象領域は、傾き補正後の原稿画像内において、ステップＳ３０５で得られた出力サイズのアスペクト比と同じアスペクト比で最大の面積となる領域を、当該傾き補正後の原稿画像の中心位置に設定するものとする。変倍率については、リピート対象領域の画像の横と縦の画素数と解像度の情報と印字する画像の解像度の情報とステップＳ３０５で指定されたサイズから算出を行う。なお、変倍処理の方法としては、周知のバイキュービックなどを用いて処理を行う。また、後述するステップＳ３１２でリピート対象領域の位置やサイズが変更された場合は、当該変更後のリピート対象領域内の画像を用いて変倍処理を行う。
【００３２】
ステップＳ３０８において、ＣＰＵ１１１は、Ｓ３０５で得られた出力サイズ（リピート対象画像のサイズ）と、Ｓ３０６で取得した用紙サイズの情報とに基づいて、出力用紙内にリピート対象画像を繰り返しレイアウトする位置を決定するリピートレイアウト処理を実行する。リピートレイアウト処理では、出力用紙の縦横のサイズとリピート対象画像のサイズとに基づき、リピート対象画像を出力用紙の左上から配置した際に何枚画像を配置できるか計算する。次にリピート対象画像のサイズを９０度回転させて出力用紙の左上から配置した際に何枚画像が配置できるか計算する。そして、９０度回転有無での配置枚数を比較し、配置枚数が多い方のレイアウトを用いて、リピート対象画像を繰り返しレイアウトすることにより、リピート処理後の画像（すなわち、印刷処理で用いられる出力画像）の作成を行う。なお、９０度回転有無での配置枚数が同じ場合は、リピート対象画像を回転しない場合のレイアウトで出力画像の作成を行う。
【００３３】
ステップＳ３０９において、ＣＰＵ１１１は、Ｓ３０８で作成した出力画像のプレビュー画像を作成して、表示・操作部１２１のプレビュー画面に表示する。図７を用いて表示・操作部１２１に表示されるプレビュー画面について説明する。図７では、図６のタッチパネルディスプレイ領域６０１に表示されていた表示内容が、出力画像のプレビュー画面に変わっている。
【００３４】
図７の７０５には、ステップＳ３０８で作成した出力画像のプレビュー画像を表示している。また、７０６には、ステップＳ３０８で作成した出力画像において、リピート対象画像を何枚レイアウトしているかを示す枚数情報を表示している。図７の例では、リピート対象画像１６枚が、１枚の出力画像内にリピートされることを示している。
【００３５】
７０７は、出力画像を印刷する枚数を示す数字を表示しており、ユーザがプラスボタン７０９を押下すると、その印刷枚数が増加し、マイナスボタンを押下すると、その印刷枚数が減少する。なお、プラスボタンあるいはマイナスボタンをクリックするたびに枚数が１枚ずつ増減してもよいし、プラスボタンあるいはマイナスボタンを長押しすることで押している間は、印刷枚数７０７が連続的に変わるようにしてもよい。また、印刷枚数７０７の入力は、ハードキー７０２を使って入力することも可能である。
【００３６】
７１０は、出力画像をカラーで印刷するか白黒で印刷するかを選択可能なプルダウンメニューである。デフォルト設定では、リピート対象画像がカラーである場合に「フルカラー」が自動選択され、リピート対象画像が白黒である場合に「白黒」が自動選択されるものとする。ユーザは、このカラー選択のプルダウンメニュー７１０を用いて、手動操作でフルカラー印刷／白黒印刷の設定を変更することができる。なお、後述のステップＳ３１１で説明するように、フルカラー印刷／白黒印刷の設定が変更されると、変更後の設定に応じて、プレビュー画像７０５も変更される。例えば、フルカラーが自動選択されている状態で、ユーザが白黒に設定変更すると、プレビュー画像７０５も連動して白黒画像のプレビューに変更される。
【００３７】
７１１には、現在指定されている用紙サイズを表示する。ユーザが変更ボタン７１２を押下すると、後述のステップＳ３１２で説明するように、用紙サイズの変更処理を行う。用紙サイズが変更された場合、当該変更後の用紙サイズとリピート対象画像のサイズとに基づき、Ｓ３０８のリピートレイアウト処理を実行して出力画像を再作成し、出力画像のプレビュー画像７０５と枚数情報７０６とを更新する。
【００３８】
リピート対象領域変更ボタン７１３がユーザにより押下されると、図９のようなリピート対象領域指定画面を表示し、ユーザはリピート対象領域を所望の位置・サイズを有する領域に修正することができる。図９のリピート対象領域指定画面の詳細は、ステップＳ３１２で後述する。
【００３９】
印刷開始ボタン７０３がユーザにより押下されると、後述のステップＳ３１４で説明するように、現在の設定内容にしたがって、印刷処理が開始される。また、戻るボタン７０４がユーザにより押下されると、図６の画面に戻る。
【００４０】
ステップＳ３１０において、ＣＰＵ１１１は、図７のプレビュー画面に表示されているボタンやプルダウンメニューのうちのいずれが、ユーザにより指示されたかを判定する。カラー選択のプルダウンメニュー７１０が指示されたと判定した場合はステップＳ３１１に進み、リピート対象領域変更ボタン７１３が指示されたと判定した場合はステップＳ３１２に進み、用紙サイズ変更ボタン７１２が指示されたと判定した場合はステップＳ３１３に進み、印刷開始ボタン７０３が指示されたと判定した場合はステップＳ３１４に進む。
【００４１】
ステップＳ３１０で、ユーザの指示内容がカラー選択のプルダウンメニュー７１０におけるフルカラー／白黒の設定変更である、と判定した場合は、ステップＳ３１１にて、ＣＰＵ１１１は、当該変更後の設定に基づきプルダウンメニュー７１０の表示を更新して、更に、ステップＳ３０９に戻って、当該変更後の設定に基づきプレビュー画像７０５も更新する。例えば、フルカラー印刷が設定されていた時に、プルダウンメニュー７１０で白黒印刷へ設定変更された場合には、ステップＳ３０９で白黒のプレビュー画像を作成してプレビュー画面の表示を更新する。なお、白黒のプレビュー画像および出力画像は、プルダウンメニュー７１０で白黒印刷へ設定変更された時点で作成する形態に限るものではない。例えば、Ｓ３０８のリピートレイアウト処理で作成された出力画像に基づいてプレビュー画像を作成する際に、カラーのプレビュー画像と白黒のプレビュー画像を予め作成しておく形態でも構わない。
【００４２】
ステップＳ３１０で、ユーザの指示内容がリピート対象領域変更ボタン７１３の押下である、と判定した場合は、ステップＳ３１２にて、ＣＰＵ１１１は、リピート対象領域を変更するためのリピート対象領域指定画面（図９）をタッチパネルディスプレイ領域に表示する。
【００４３】
図９のリピート対象領域指定画面の詳細について説明する。図９の９０５には、Ｓ３０２の原稿領域検出処理及び傾き補正処理を行った結果の切り出し画像（傾き補正後の原稿部分画像）のプレビュー画像が表示される。さらに、その時点でのリピート対象領域の位置を示す枠９０６を、切り出し画像に重ねて表示する。なお、リピート対象領域の位置を示す枠９０６は、区別しやすい色（例えば、赤色）等の線で表示するのが望ましい。なお、リピート対象領域をユーザの指示に基づいて変更する前の時点では、図９のように、Ｓ３０７で特定されるリピート対象領域として枠９０６を表示する。ハンドラ９２１、９２２、９２３、９２４は、枠９０６の頂点に表示されるハンドラであり、ユーザが該ハンドラを用いて枠の頂点の位置を変更することにより、リピート対象領域の縮小や拡大を行うことができる。ただし、このリピート対象領域の拡大縮小は、Ｓ３０５で取得した出力サイズのアスペクト比と同じアスペクト比を維持して行うようにする。ハンドラ９２５、９２６、９２７、９２８は、ユーザが枠の辺の位置を変更するためのハンドラであり、これらのハンドラの操作によっても、リピート対象領域の縮小や拡大を行うことができる。ただし、ここでのリピート対象領域の拡大縮小も、Ｓ３０５で取得した出力サイズのアスペクト比と同じアスペクト比を維持して行うようにする。アスペクト比を維持したままリピート対象領域の枠の拡大縮小を行うことにより、ステップＳ３０５で指定された出力サイズに合うようにステップＳ３０７でのリピート対象画像の変倍処理を行うことができる。また、矢印９０７、９０８、９０９、９１０のいずれかがユーザに押下されると、当該表示されている原稿部分画像が、当該押下された矢印の方向に移動する。つまり、枠９０６の位置は移動せずに、矢印９０７、９０８、９０９、９１０を使用することで原稿部分画像を相対的に移動させることにより、ユーザ所望の切出し位置になるよう調整することもできる。なお、原稿部分画像の移動は、矢印９０７、９０８、９０９、９１０の操作に限らず、枠９０６より外側で且つプレビュー画像の表示領域９０５より内側の位置において、ユーザがタッチ＆ドラッグ操作することで移動できるようにしてもよい。
【００４４】
バー９１１は、表示領域９０５に表示される画像の表示倍率の状態を示すバーであり、バー９１１が右側にあれば拡大表示されていることを示し、左側にあれば縮小表示されていることを示す。ユーザがボタン９１２を押下すると、その表示倍率を下げて表示し、ボタン９１３を押下すると、その表示倍率を上げて表示する。なお、バー９１１を直接左右にドラッグ操作することで、表示倍率を変更することも可能である。また、ユーザがボタン９１４を押下すると、表示領域９０５に表示している画像の表示の向きを９０度回転させる。また、ユーザがボタン９１５を押下した場合は、表示領域９０５に表示している画像を反時計回りに０．５度刻みで回転させる。ユーザがボタン９１６を押下した場合は、表示領域９０５に表示している画像を時計回りに０．５度刻みで回転させる。なお、本実施例では、ボタン９１５、９１６ともに回転角度を０．５度刻みとして説明したが、０．５度に限るものではない。また、ボタン９１７は、枠９０６のアスペクト比を保ったまま枠９０６を広げる指示を行うためのボタンであり、ユーザがボタン９１７を押下すると、枠９０６の各辺が所定画素数外側へ移動する。ボタン９１８は、枠９０６のアスペクト比を保ったまま、枠９０６を縮める指示を行うためのボタンであり、ユーザがボタン９１８を押下すると、枠９０６の各辺の位置は枠が縮む方向に所定画素数移動する。また、ユーザがボタン９０４を押下すると、図９において変更された枠の位置をキャンセルして図７の画面に戻る。
【００４５】
また、ユーザがボタン９０３を押下すると、その時点で設定されている枠９０６の位置に基づいてリピート対象領域を確定し、当該リピート対象領域の画像に基づいて、ステップＳ３０６のリピートレイアウト処理を実行する。例えば、ユーザが名刺画像（原稿画像）の内部に含まれる写真領域のみをリピート対象領域にしたいとする。その場合、ユーザは、図９の枠の頂点ハンドラ９２１〜９２４の位置を調整し、図１０の枠の頂点ハンドラ１０２１〜１０２４の位置に変更する。その状態でＯＫボタンがユーザにより押下されると、図１０の枠で囲まれる領域がリピート対象領域として確定され、当該確定されたリピート対象領域の画像を用いてステップＳ３０６でリピートレイアウト処理が再度実行される。そして、ステップＳ３０７では、Ｓ３０６のリピートレイアウト処理で得た出力画像のプレビュー画像を、図１１のように、プレビュー画面１１０５に表示する。図１１の１１０６には、図１０で変更したリピート対象領域の画像を何枚レイアウトしているかを示す枚数情報を表示している。
【００４６】
ステップＳ３１０で、ユーザの指示内容が用紙サイズ変更ボタン７１２の押下である、と判定した場合は、ステップＳ３１３にて、用紙サイズの候補を複数提示（例えば、定形サイズＡ４，Ａ３，Ｂ４，Ｂ５などを複数提示）し、その中からユーザにより指定された用紙サイズを判定する。なお、用紙サイズの変更は定形サイズの中から選択する方法に限るものではなく、非定形の用紙サイズ（用紙の縦と横のサイズ）をユーザがマニュアル入力できるようにしてもよい。ステップＳ３１３で用紙サイズが変更された場合には、ステップＳ３０６でその変更後の用紙サイズを取得し、ステップＳ３０８で、当該変更された用紙サイズに基づいてリピートレイアウト処理を実行し、ステップＳ３０９でプレビュー画面を表示する。
【００４７】
ステップＳ３１０で、ユーザの指示内容が印刷開始ボタン７０３の押下であると判定した場合は、ステップＳ３１４にて、ＣＰＵ１１１は、Ｓ３０８で作成した出力画像を用いて、プリンタ部１２３で印刷を実行するように制御する。
【００４８】
本実施例１によれば、図９のリピート対象領域指定画面において、Ｓ３０１で取得した原稿台全体のスキャン画像ではなく、Ｓ３０２で得た傾き補正後の原稿部分画像を表示する。原稿台全体のスキャン画像をそのままプレビュー表示すると、スキャン画像内に含まれる名刺画像が相対的に小さく表示されてしまうので、ユーザはリピート対象にしたい領域を指定しにくくなるが、本実施例では、Ｓ３０２で得た原稿部分画像を大きく表示するので、ユーザはリピート対象にしたい領域を指定しやすくなる。さらに、傾き補正後の原稿部分画像を表示するので、ユーザは、リピート対象にしたい領域を正確に指定しやすくなる。また、原稿台に原稿を傾いて置いてスキャンしたとしてもＳ３０２で傾き補正されるので、ユーザは原稿台に原稿を置く際に原稿が傾かないように気を付ける必要もなくなる。
【００４９】
また、Ｓ３０９で表示される図７のプレビュー画面では、Ｓ３０２で得た傾き補正後の原稿画像とＳ３０５で得た出力サイズとに基づいて初期のリピート対象領域を特定し、リピート対象画像の変倍処理を行い、Ｓ３０８のリピートレイアウト処理を実行して出力画像を作成し、その出力画像のプレビュー画像を初期表示する。したがって、ユーザは、そのままの設定でよければ、印刷開始ボタンを押すだけでよく、リピートレイアウト処理を簡単に実行することもできる。
【実施例２】
【００５０】
実施例１では、図６の操作画面でスキャン開始ボタンがユーザにより押下されると、図３のＳ３０１〜Ｓ３０９の処理が実行されて、図７のプレビュー画面が表示される例について説明した。本実施例２では、図６の操作画面でスキャン開始ボタンがユーザにより押下されると、図７のプレビュー画面を表示する前に、図９のリピート対象領域指定画面を表示してリピート対象領域をユーザに確認・修正させる例について説明する。
【００５１】
図８に示す実施例２に係るイメージリピート処理の詳細を示すフローチャートと、図３に示した実施例１のフローチャートとの差異について説明する。実施例２では、図８のステップＳ３０３で原稿有りと判定した場合に、ステップＳ３１２に進んで、図９のリピート対象領域指定画面を表示する。そして、図９のリピート対象領域指定画面で、リピート対象領域が確定された後、Ｓ３０５〜Ｓ３０９の処理を行ってプレビュー画面を表示する。
【００５２】
なお、各ステップの処理の詳細は、実施例１と同様であるので説明を割愛する。
【００５３】
以上、本実施例２によれば、図７のプレビュー画面を表示する前に、図９のリピート対象領域指定画面を表示するので、リピート対象領域をユーザが予め確認でき、さらに、必要に応じてリピート対象領域の修正も簡単に行える。また、実施例１と同様に、図９のリピート対象領域指定画面において、Ｓ３０１で取得した原稿台全体のスキャン画像ではなく、Ｓ３０２で得た傾き補正後の原稿部分画像を表示するので、ユーザは、リピート対象にしたい領域を正確に指定しやすくなる。
【実施例３】
【００５４】
図６の操作画面でスキャン開始ボタンがユーザにより押下された後、タッチパネルディスプレイ領域において、実施例１では図７のプレビュー画面を最初に表示し、実施例２では図９のリピート対象領域指定画面を最初に表示する例について説明した。本実施例３では、スキャンした原稿に応じて、図７のプレビュー画面を最初に表示するか、図９のリピート対象領域指定画面を最初に表示するかを適応的に変更する例について説明する。
【００５５】
図１２のフローチャートを用いて、実施例３に係るイメージリピート処理の詳細を説明する。図１２では、ステップＳ３０３で原稿有りと判定した場合、ステップＳ１２０１に進んで、Ｓ３０２で検出した原稿画像が所定の条件を満たすかどうか判定する。Ｓ１２０１で所定の条件を満たすと判定した場合は、ステップＳ３１２に進んで図９のリピート対象領域指定画面を表示する。一方、Ｓ１２０１で所定の条件を満たさないと判定した場合は、Ｓ３０５〜Ｓ３０９の処理を行って図７のプレビュー画面を表示する。
【００５６】
ステップＳ１２０１の判定で用いられる所定の条件は、例えば、Ｓ３０２で検出された原稿画像のサイズが所定のサイズ（例えばＡ４サイズ）より大きいかどうかである。原稿画像のサイズが大きい場合は、その原稿内の一部分を切り出してリピート対象に用いる可能性が高いと考えられるので、Ｓ３１２に進んで図９のリピート対象領域指定画面を表示する。
【００５７】
また、ステップＳ１２０１の判定で用いられる所定の条件の別の例について説明する。例えば、Ｓ３０２で検出された原稿画像に対して、テキストや写真や表などの属性ごとの領域に分割する領域分割処理を実行し、複数の属性の領域が含まれる場合に所定の条件を満たすと判定する。すなわち、原稿内に複数の属性の領域（例えばテキスト領域と写真領域）が含まれる場合、そのいずれかの領域をリピート対象に用いる可能性が高いと考えられるので、Ｓ３１２に進んで図９のリピート対象領域指定画面を表示する。
【００５８】
なお、図１２のＳ３０１〜Ｓ３１４の各ステップにおける処理の詳細は、実施例１，２の対応するステップ番号の処理と同様であるので説明を割愛する。
【００５９】
（その他の実施例）
本発明は、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行することによっても実現される。
【図１】
2019201356.tif 000003
【図２】
2019201356.tif 000004
【図３】
2019201356.tif 000005
【図４】
2019201356.tif 000006
【図５】
2019201356.tif 000007
【図６】
2019201356.tif 000008
【図７】
2019201356.tif 000009
【図８】
2019201356.tif 000010
【図９】
2019201356.tif 000011
【図１０】
2019201356.tif 000012
【図１１】
2019201356.tif 000013
【図１２】
2019201356.tif 000014